(57)【要約】  本発明は、Ｐｓｃｅｌｌハンドオーバーのための方法および装置を開示する。前記方法は、スレーブ基地局（ＳＮ）は、ユーザー機器（ＵＥ）のＰＳＣｅｌｌハンドオーバーのターゲットＰｓｃｅｌｌがターゲット分散ユニット（ｇＮＢ−ＤＵ）に位置することを決定するステップと、前記ＭＮと前記ＵＥが前記ターゲットｇＮＢ−ＤＵを介してデータを交換できるように、前記ＳＮは、トンネルエンドポイント識別子（ＴＥＩＤ）を含むメッセージをメイン基地局（ＭＮ）に送信するステップとを備え、前記ＴＥＩＤは、前記ターゲットｇＮＢ−ＤＵと前記ＭＮの間のデータリンクを識別するように構成される。
2021503841.tif 000002
【特許請求の範囲】
【請求項１】
スレーブ基地局（ＳＮ）は、ユーザー機器（ＵＥ）のＰＳＣｅｌｌハンドオーバーのターゲットＰｓｃｅｌｌがターゲット分散ユニット（ｇＮＢ−ＤＵ）に位置することを決定するステップと、
ＭＮと前記ＵＥが前記ターゲットｇＮＢ−ＤＵを介してデータを交換できるように、前記ＳＮは、トンネルエンドポイント識別子（ＴＥＩＤ）を含むメッセージをメイン基地局（ＭＮ）に送信ステップとを備え、
前記ＴＥＩＤは、前記ターゲットｇＮＢ−ＤＵと前記ＭＮの間のデータリンクを識別するように構成されることを特徴とするプライマリセカンダリセル（Ｐｓｃｅｌｌ）ハンドオーバーのための方法。
【請求項２】
前記ＳＮがＵＥのＰＳＣｅｌｌハンドオーバーのターゲット分散ユニット（ｇＮＢ−ＤＵ）を決定した後、
前記ＵＥが前記ターゲットｇＮＢ−ＤＵにランダムアクセスするように、前記ＳＮは、セカンダリセルグループシグナリング無線ベアラ（ＳＣＧ ＳＲＢ）を介して前記ターゲットｇＮＢ−ＤＵにハンドオーバーされたメッセージを前記ＵＥに送信することを特徴とする請求項１に記載のプライマリセカンダリセル（Ｐｓｃｅｌｌ）ハンドオーバーのための方法。
【請求項３】
前記ＳＮがダウンリンクデータＴＥＩＤを含むメッセージをＭＮに送信することは、
前記ＳＮは、前記ＴＥＩＤを含むメッセージを新しく生成することと、
前記ＳＮは、新しく生成されたメッセージを前記ＭＮに送信することとを備えることを特徴とする請求項１に記載のプライマリセカンダリセル（Ｐｓｃｅｌｌ）ハンドオーバーのための方法。
【請求項４】
前記ＳＮがダウンリンクデータＴＥＩＤを含むメッセージをＭＮに送信することは、
前記ＳＮは、前記ＴＥＩＤをＳｇＮＢ修正要求（Ｍｏｄｉｆｉｃａｔｉｏｎ Ｒｅｑｕｉｒｅｄ）メッセージに含めておくことと、
前記ＳＮは、前記ＳｇＮＢ Ｍｏｄｉｆｉｃａｔｉｏｎ Ｒｅｑｕｉｒｅｄメッセージを前記ＭＮに送信することとを備えることを特徴とする請求項１に記載のプライマリセカンダリセル（Ｐｓｃｅｌｌ）ハンドオーバーのための方法。
【請求項５】
前記ＳＮがＵＥのＰＳＣｅｌｌハンドオーバーのターゲット分散ユニット（ｇＮＢ−ＤＵ）を決定した後、
前記ＳＮは、前記ターゲットｇＮＢ−ＤＵが前記ＵＥのためにコンテキストベアラを確立するように、ＵＥのＰＳＣｅｌｌハンドオーバー要求を前記ターゲットｇＮＢ−ＤＵに送信することを特徴とする請求項１から請求項４のいずれか一項に記載のプライマリセカンダリセル（Ｐｓｃｅｌｌ）ハンドオーバーのための方法。
【請求項６】
前記ＳＮがＵＥのＰＳＣｅｌｌハンドオーバーのターゲット分散ユニット（ｇＮＢ−ＤＵ）を決定した後、
ソースｇＮＢ−ＤＵが前記ＵＥにデータを送信することを停止するように、前記ＳＮは、ハンドオーバーする前のソースｇＮＢ−ＤＵに前記ＵＥのＰｓｃｅｌｌハンドオーバーメッセージを送信することを特徴とする請求項１から請求項４のいずれか一項に記載のプライマリセカンダリセル（Ｐｓｃｅｌｌ）ハンドオーバーのための方法。
【請求項７】
前記ＳＮがダウンリンクデータＴＥＩＤを含むメッセージをＭＮに送信した後、
前記ＳＮは、前記ＵＥによって送信されアップリンクデータを受信し、
前記ＳＮは、前記アップリンクデータがプライマリセルグループ分離ベアラＭＣＧ ＳＰＬＩＴ ＢＥＡＲＥＲであることを決定し、前記ＳＮは、前記アップリンクデータを前記ＭＮに転送し、または、
前記ＳＮは、前記アップリンクデータがセカンダリセルグループ分離ベアラＳＣＧ ＳＰＬＩＴ ＢＥＡＲＥＲであることを決定し、前記ＳＮは、前記アップリンクデータをｇＮＢ-ＣＵに転送することを特徴とする請求項１から請求項４のいずれか一項に記載のプライマリセカンダリセル（Ｐｓｃｅｌｌ）ハンドオーバーのための方法。
【請求項８】
コンピュータプログラムコマンドを記憶するように構成されたメモリと、
前記メモリに記憶されたプログラムコマンドを呼び出して、取得されたプログラムに従って以下の動作を実行するように構成されたプロセッサとを備え、
前記プロセッサは、ＵＥのＰＳＣｅｌｌハンドオーバーのターゲットＰｓｃｅｌｌがターゲット分散ユニット（ｇＮＢ−ＤＵ）に位置することを決定し、ＭＮと前記ＵＥが前記ターゲットｇＮＢ−ＤＵを介してデータを交換できるように、ＴＥＩＤを含むメッセージをＭＮに送信し、前記ＴＥＩＤは、前記ターゲットｇＮＢ−ＤＵと前記ＭＮの間のデータリンクを識別するように構成されることを特徴とするプライマリセカンダリセル（Ｐｓｃｅｌｌ）ハンドオーバーのための装置。
【請求項９】
前記プロセッサは、
ＵＥのＰＳＣｅｌｌハンドオーバーのターゲット分散ユニット（ｇＮＢ−ＤＵ）を決定した後、前記ＵＥが前記ターゲットｇＮＢ−ＤＵにランダムアクセスするように、ＳＣＧ ＳＲＢを介して前記ターゲットｇＮＢ−ＤＵにハンドオーバーされたメッセージを前記ＵＥに送信することを特徴とする請求項８に記載のプライマリセカンダリセル（Ｐｓｃｅｌｌ）ハンドオーバーのための装置。
【請求項１０】
前記プロセッサは、
前記ＴＥＩＤを含むメッセージを新しく生成し、新しく生成されたメッセージを前記ＭＮに送信することを特徴とする請求項８に記載のプライマリセカンダリセル（Ｐｓｃｅｌｌ）ハンドオーバーのための装置。
【請求項１１】
前記プロセッサは、
前記ＴＥＩＤをＳｇＮＢ Ｍｏｄｉｆｉｃａｔｉｏｎ Ｒｅｑｕｉｒｅｄメッセージに含めておき、前記ＳｇＮＢ Ｍｏｄｉｆｉｃａｔｉｏｎ Ｒｅｑｕｉｒｅｄメッセージを前記ＭＮに送信することを特徴とする請求項８に記載のプライマリセカンダリセル（Ｐｓｃｅｌｌ）ハンドオーバーのための装置。
【請求項１２】
前記プロセッサは、
ＵＥのＰＳＣｅｌｌハンドオーバーのターゲット分散ユニット（ｇＮＢ−ＤＵ）を決定した後、前記ターゲットｇＮＢ−ＤＵが前記ＵＥのためにコンテキストベアラを確立するように、ＵＥのＰＳＣｅｌｌハンドオーバー要求を前記ターゲットｇＮＢ−ＤＵに送信することを特徴とする請求項８から請求項１１のいずれか一項に記載のプライマリセカンダリセル（Ｐｓｃｅｌｌ）ハンドオーバーのための装置。
【請求項１３】
前記プロセッサは、
ＵＥのＰＳＣｅｌｌハンドオーバーのターゲット分散ユニット（ｇＮＢ−ＤＵ）を決定した後、ソースｇＮＢ−ＤＵが前記ＵＥにデータを送信することを停止するように、ハンドオーバーする前のソースｇＮＢ−ＤＵに前記ＵＥのＰｓｃｅｌｌハンドオーバーメッセージを送信することを特徴とする請求項８から請求項１１のいずれか一項に記載のプライマリセカンダリセル（Ｐｓｃｅｌｌ）ハンドオーバーのための装置。
【請求項１４】
前記プロセッサは、
ダウンリンクデータＴＥＩＤを含むメッセージをＭＮに送信した後、前記ＵＥによって送信されアップリンクデータを受信し、前記アップリンクデータをＭＣＧ ＳＰＬＩＴ ＢＥＡＲＥＲとして決定すると、前記アップリンクデータを前記ＭＮに転送し、または、
前記アップリンクデータをＳＣＧ ＳＰＬＩＴ ＢＥＡＲＥＲとして決定し、前記アップリンクデータをｇＮＢ-ＣＵに転送することを特徴とする請求項８から請求項１１のいずれか一項に記載のプライマリセカンダリセル（Ｐｓｃｅｌｌ）ハンドオーバーのための装置。
【請求項１５】
コンピュータプログラムを記憶するコンピュータ記憶媒体であって、前記プログラムは、プロセッサによって実行されると、請求項１から請求項７のいずれか一項に記載の方法のステップを実施することを特徴とするコンピュータプログラムを記憶するコンピュータ記憶媒体。
【発明の詳細な説明】
【技術分野】
【０００１】
関連出願の相互参照
本出願は、２０１７年１１月１７日に中国特許局に提出し、出願番号が２０１７１１１４７４０７．７であり、発明名称が「Ｐｓｃｅｌｌハンドオーバーのための方法および装置」との中国特許出願を基礎とする優先権を主張し、その開示の総てをここに取り込む。
【０００２】
本発明は、通信技術分野に関し、特にＰｓｃｅｌｌハンドオーバーのための方法および装置に関する。
【背景技術】
【０００３】
長期進化（Ｌｏｎｇ Ｔｅｒｍ ＥＮは、ＵＥのＰＳＣｅｌｌハンドオーバーのターゲットＰｓｃｅｌｌがターゲット分散ユニット（ｇＮＢ−ＤＵ）に位置することを決定するｏｌｕｔｉｏｎ，以下「ＬＴＥ」）システムまたは第４世代（以下「４Ｇ」）ネットワークでは、進化したユニバーサル移動通信サービス地上無線アクセスネットワーク（Ｅ−ＵＴＲＡＮ（ＥＮは、ＵＥのＰＳＣｅｌｌハンドオーバーのターゲットＰｓｃｅｌｌがターゲット分散ユニット（ｇＮＢ−ＤＵ）に位置することを決定するｏｌＮは、ＵＥのＰＳＣｅｌｌハンドオーバーのターゲットＰｓｃｅｌｌがターゲット分散ユニット（ｇＮＢ−ＤＵ）に位置することを決定するｅｄ ＵＭＴＳ Ｔｅｒｒｅｓｔｒｉａｌ Ｒａｄｉｏ Ａｃｃｅｓｓ Ｎｅｔｗｏｒｋ，以下「Ｅ−ＵＴＲＡＮ」）は複数のｅＮｏｄｅＢまたは進化した基地局（以下、「ｅＮｏｄｅＢ」）より構成される。ｅＮｏｄｅＢはＳ１インターフェースを介してＥＰＣ（ＥＮは、ＵＥのＰＳＣｅｌｌハンドオーバーのターゲットＰｓｃｅｌｌがターゲット分散ユニット（ｇＮＢ−ＤＵ）に位置することを決定するｏｌＮは、ＵＥのＰＳＣｅｌｌハンドオーバーのターゲットＰｓｃｅｌｌがターゲット分散ユニット（ｇＮＢ−ＤＵ）に位置することを決定するｅｄ Ｐａｃｋｅｔ Ｃｏｒｅ）に接続され、ｅＮｏｄｅＢはＸ２インターフェースを介して相互接続する。５Ｇシステムでは、集中制御とスケジューリングのために中央ユニット（Ｃｅｎｔｒａｌ ｕｎｉｔ，以下「ＣＮ」）が導入されている。５Ｇ基地局の無線リソース制御（Ｒａｄｉｏ Ｒｅｓｏｕｒｃｅ Ｃｏｎｔｒｏｌ，以下、ＲＲＣ）機能と一部のレイヤー２または/およびレイヤー１機能はＣＵによって実施され、５Ｇ基地局の他の機能は分散ユニット（以下、「ＤＵ」）によって実施されます。５Ｇ基地局が５Ｇコアネットワーク（以下「５ＧＣ」）に接続されるＮＧインターフェースはＣＵで終端し、５Ｇ基地局が相互接続するＸｎインターフェースもＣＵで終端する。
【発明の概要】
【発明が解決しようとする課題】
【０００４】
５Ｇは、ＬＴＥシステムと５Ｇシステムとの緊密連携（ｔｉｇｈｔ ｉｎｔｅｒｗｏｒｋｉｎｇ）をサポートする。ただし、ＬＴＥシステムが５ＧシステムおよびＳＮ（ｓｌａＮは、ＵＥのＰＳＣｅｌｌハンドオーバーのターゲットＰｓｃｅｌｌがターゲット分散ユニット（ｇＮＢ−ＤＵ）に位置することを決定するｅ ｎｏｄｅ，５Ｇ基地局）と緊密に連携する場合、ユーザー機器（Ｕｓｅｒ Ｅｑｕｉｐｍｅｎｔ，以下「ＵＥ」）のプライマリセカンダリセル（Ｐｒｉｍａｒｙ Ｓｅｃｏｎｄａｒｙ ｃｅｌｌ，以下「ＰＳＣｅｌｌ」）のハンドオーバーを処理する方法の問題に対する既存の解決策はない。
【０００５】
本発明の実施形態は、Ｐｓｃｅｌｌハンドオーバーのための方法および装置を提供し、ＬＴＥシステムが５Ｇシステムと緊密に連携し、ＳＮがＣＵ/ＤＵ分離の場合の、ＵＥのＰＳＣｅｌｌハンドオーバーをどのように処理するかという従来の問題を提供する。
【課題を解決するための手段】
【０００６】
以下は、本発明の実施形態による技術的な解決策である。
【０００７】
Ｐｓｃｅｌｌハンドオーバーのための方法は、
スレーブ基地局（ＳＮ）は、ＵＥのＰＳＣｅｌｌハンドオーバーのターゲットＰｓｃｅｌｌがターゲット分散ユニットＧｎｂ（ｎｏｄｅ ｐｒｏｖｉｄｉｎｇ ＮＲ ｕｓｅｒ ｐｌａｎｅ ａｎｄ ｃｏｎｔｒｏｌ ｐｌａｎｅ ｐｒｏtｏｃｏｌ ｔｅｒｍｉｎａｔｉｏｎｓ ｔｏｗａｒｄｓ ｔｈｅ ＵＥ, ａｎｄ ｃｏｎｎｅｃｔｅｄ ｖｉａ ｔｈｅ ＮＧ ｉｎｔｅｒｆａｃｅ ｔｏ ｔｈｅ ５ＧＣ，ＮＲのユーザープレーンとコントロールプレーンのプロトコル端末をＵＥに提供し、ＮＧインターフェースを介して５ＧＣに接続されたノード）−ＤＵに位置することを決定するステップと、
前記ＭＮと前記ＵＥが前記ターゲットｇＮＢ−ＤＵを介してデータを交換できるように、前記ＳＮは、ＴＥＩＤ（Ｔｕｎｎｅｌ  Ｅｎｄ  Ｐｏｉｎｔ  Ｉｄｅｎｔｉｆｉｅｒ，トンネルエンドポイント識別子）を含むメッセージをＭＮ（Ｍａｉｎ ＮｏｄｅＢ，メイン基地局）に送信するステップとを備え、
前記ＴＥＩＤは、前記ターゲットｇＮＢ−ＤＵと前記ＭＮの間のデータリンクを識別するように構成される。
【０００８】
任意選択で、前記ＳＮがＵＥのＰＳＣｅｌｌハンドオーバーのターゲット分散ユニット（ｇＮＢ−ＤＵ）を決定した後、
前記ＵＥが前記ターゲットｇＮＢ−ＤＵにランダムアクセスするように、前記ＳＮは、ＳＣＧ ＳＲＢ（Ｓｅｃｏｎｄａｒｙ Ｃｅｌｌ Ｇｒｏｕｐ−Ｓｉｇｎａｌｉｎｇ Ｒａｄｉｏ Ｂｅａｒｅｒ，セカンダリセルグループシグナリングラジオベアラ）を介して、前記ターゲットｇＮＢ−ＤＵにハンドオーバーされたメッセージを前記ＵＥに送信する。
【０００９】
任意選択で、前記ＳＮがダウンリンクデータＴＥＩＤを含むメッセージをＭＮに送信することは、
前記ＳＮは、前記ＴＥＩＤを含むメッセージを新しく生成することと、
前記ＳＮは、新しく生成されたメッセージを前記ＭＮに送信することとを含む。
【００１０】
任意選択で、前記ＳＮがダウンリンクデータＴＥＩＤを含むメッセージをＭＮに送信することは、
前記ＳＮは、前記ＴＥＩＤをＳｇＮＢ Ｍｏｄｉｆｉｃａｔｉｏｎ Ｒｅｑｕｉｒｅｄ（修正要求）メッセージに含めておくことと、
前記ＳＮは、前記ＳｇＮＢ Ｍｏｄｉｆｉｃａｔｉｏｎ Ｒｅｑｕｉｒｅｄメッセージを前記ＭＮに送信することとを含む。
【００１１】
任意選択で、前記ＳＮがＵＥのＰＳＣｅｌｌハンドオーバーのターゲット分散ユニット（ｇＮＢ−ＤＵ）を決定した後、
前記ターゲットｇＮＢ−ＤＵが前記ＵＥのためにコンテキストベアラを確立するように、前記ＳＮは、ＵＥのＰＳＣｅｌｌハンドオーバー要求を前記ターゲットｇＮＢ−ＤＵに送信する。
【００１２】
任意選択で、前記ＳＮがＵＥのＰＳＣｅｌｌハンドオーバーのターゲット分散ユニット（ｇＮＢ−ＤＵ）を決定した後、
前記ソースｇＮＢ−ＤＵが前記ＵＥにデータを送信することを停止するように、前記ＳＮは、ハンドオーバーする前のソースｇＮＢ−ＤＵに前記ＵＥのＰｓｃｅｌｌハンドオーバーメッセージを送信する。
【００１３】
任意選択で、前記ＳＮがダウンリンクデータＴＥＩＤを含むメッセージをＭＮに送信した後、
前記ＳＮは、前記ＵＥによって送信されアップリンクデータを受信し、
前記ＳＮは、前記アップリンクデータを、ＭＣＧ ＳＰＬＩＴ ＢＥＡＲＥＲ（プライマリセルグループ分離ベアラ）として決定し、前記ＳＮは、前記アップリンクデータを前記ＭＮに転送し、または、
前記ＳＮは、前記アップリンクデータを、ＳＣＧ ＳＰＬＩＴ ＢＥＡＲＥＲ（セカンダリセルグループ分離ベアラ）として決定し、前記アップリンクデータを前記ｇＮＢ-ＣＵに転送する。
【００１４】
別の態様では、本発明の実施形態は、Ｐｓｃｅｌｌハンドオーバーのための装置を提供する。当該装置は、
コンピュータプログラムコマンドを記憶するように構成されたメモリと、
前記プロセッサは、ＵＥのＰＳＣｅｌｌハンドオーバーのターゲットＰｓｃｅｌｌがターゲット分散ユニット（ｇＮＢ−ＤＵ）に位置することを決定し、前記ＭＮと前記ＵＥが前記ターゲットｇＮＢ−ＤＵを介してデータを交換できるように、ＴＥＩＤを含むメッセージをＭＮに送信し、前記ＴＥＩＤは、前記ターゲットｇＮＢ−ＤＵと前記ＭＮの間のデータリンクを識別するように構成される。
【００１５】
任意選択で、前記プロセッサは、
ＵＥのＰＳＣｅｌｌハンドオーバーのターゲット分散ユニット（ｇＮＢ−ＤＵ）を決定した後、前記ＵＥが前記ターゲットｇＮＢ−ＤＵにランダムアクセスするように、ＳＣＧ ＳＲＢを介して前記ターゲットｇＮＢ−ＤＵにハンドオーバーされたメッセージを前記ＵＥに送信する。
【００１６】
任意選択で、前記プロセッサは、前記ＴＥＩＤを含むメッセージを新しく生成し、新しく生成されたメッセージを前記ＭＮに送信する。
【００１７】
任意選択で、前記プロセッサは、前記ＴＥＩＤをＳｇＮＢ Ｍｏｄｉｆｉｃａｔｉｏｎ Ｒｅｑｕｉｒｅｄメッセージに含めておき、前記ＳｇＮＢ Ｍｏｄｉｆｉｃａｔｉｏｎ Ｒｅｑｕｉｒｅｄメッセージを前記ＭＮに送信する。
【００１８】
任意選択で、前記プロセッサは、ＵＥのＰＳＣｅｌｌハンドオーバーのターゲット分散ユニット（ｇＮＢ−ＤＵ）を決定した後、前記ターゲットｇＮＢ−ＤＵが前記ＵＥのためにコンテキストベアラを確立するように、ＵＥのＰＳＣｅｌｌハンドオーバー要求を前記ターゲットｇＮＢ−ＤＵに送信する。
【００１９】
任意選択で、前記プロセッサは、ＵＥのＰＳＣｅｌｌハンドオーバーのターゲット分散ユニット（ｇＮＢ−ＤＵ）を決定した後、前記ソースｇＮＢ−ＤＵが前記ＵＥにデータを送信することを停止するように、ハンドオーバーする前のソースｇＮＢ−ＤＵに前記ＵＥのＰｓｃｅｌｌハンドオーバーメッセージを送信する。
【００２０】
任意選択で、前記プロセッサは、
ダウンリンクデータＴＥＩＤを含むメッセージをＭＮに送信した後、前記ＵＥによって送信されアップリンクデータを受信し、前記アップリンクデータをプライマリセルグループ分離ベアラＭＣＧ ＳＰＬＩＴ ＢＥＡＲＥＲとして決定し、前記アップリンクデータを前記ＭＮに転送し、または、
前記アップリンクデータをＳＣＧ ＳＰＬＩＴ ＢＥＡＲＥＲとして決定し、前記アップリンクデータを前記ｇＮＢ-ＣＵに転送する。
【００２１】
別の態様では、本発明の実施形態はＳＮ装置をさらに提供する。当該装置は、
ＵＥのＰＳＣｅｌｌハンドオーバーのターゲットＰｓｃｅｌｌがターゲット分散ユニット（ｇＮＢ−ＤＵ）に位置することを決定するように構成された決定ユニットと、
前記ＭＮと前記ＵＥが前記ターゲットｇＮＢ−ＤＵを介してデータを交換できるように、ＴＥＩＤを含むメッセージをＭＮに送信するように構成された第１の送信ユニットとを備え、前記ＴＥＩＤは、前記ターゲットｇＮＢ−ＤＵと前記ＭＮの間のデータリンクを識別するように構成される。
【００２２】
任意選択で、前記ＵＥが前記ターゲットｇＮＢ−ＤＵにランダムアクセスするように、ＳＣＧ ＳＲＢを介して前記ターゲットｇＮＢ−ＤＵにハンドオーバーされたメッセージを前記ＵＥに送信するように構成された第２の送信ユニットをさらに備える。
【００２３】
任意選択で、前記ＴＥＩＤを含むメッセージを新しく生成し、新しく生成されたメッセージを前記ＭＮに送信するように構成された新生成ユニットをさらに備える。
【００２４】
任意選択で、前記ＴＥＩＤをＳｇＮＢ Ｍｏｄｉｆｉｃａｔｉｏｎ Ｒｅｑｕｉｒｅｄメッセージに含めておき、および、前記ＳｇＮＢ Ｍｏｄｉｆｉｃａｔｉｏｎ Ｒｅｑｕｉｒｅｄメッセージを前記ＭＮに送信するように構成された第３の送信ユニットをさらに備える。
【００２５】
任意選択で、前記ターゲットｇＮＢ−ＤＵが前記ＵＥのためにコンテキストベアラを確立するように、ＵＥのＰＳＣｅｌｌハンドオーバー要求を前記ターゲットｇＮＢ−ＤＵに送信するように構成された第４の送信ユニットをさらに備える。
【００２６】
任意選択で、前記ソースｇＮＢ−ＤＵが前記ＵＥにデータを送信することを停止するように、前記ソースｇＮＢ−ＤＵに前記ＵＥのＰｓｃｅｌｌハンドオーバーメッセージを送信するように構成された第５の送信ユニットをさらに備える。
【００２７】
任意選択で、前記ＵＥによって送信されアップリンクデータを受信し、
前記アップリンクデータをＭＣＧ ＳＰＬＩＴ ＢＥＡＲＥＲとして決定すると、前記アップリンクデータを前記ＭＮに転送し、または、
前記アップリンクデータをＳＣＧ ＳＰＬＩＴ ＢＥＡＲＥＲとして決定し、前記アップリンクデータを前記ｇＮＢ-ＣＵに転送するように構成された第６の送信ユニットをさらに備える。
【００２８】
別の態様では、本発明の実施形態は、コンピュータ可読記憶媒体をさらに提供する。上記記憶媒体は、コンピュータプログラムを記憶する。前記コンピュータプログラムがプロセッサによって実行されると、プロセッサは上記のスレーブ基地局のＰｓｃｅｌｌハンドオーバーのための方法を実行する。
【発明の効果】
【００２９】
本発明の実施形態による上記の技術的解決策は、以下の技術的効果を有する。
【００３０】
本発明の実施形態の技術的な解決策によれば、ＳＮが、ＵＥのＰＳＣｅｌｌハンドオーバーのターゲット分散ユニット（ｇＮＢ−ＤＵ）を決定し、および、前記ＳＮは、前記ＭＮと前記ＵＥが前記ターゲットｇＮＢ−ＤＵを介してデータを交換できるように、ＴＥＩＤを含むメッセージをＭＮに送信し、前記ＴＥＩＤは、前記ターゲットｇＮＢ−ＤＵと前記ＭＮの間のデータリンクを識別するように構成される。当該技術的な解決策は、ＣＵとＤＵの間で分離されたＳＮとＬＴＥシステムおよび５Ｇシステムの緊密な連携のシナリオにおけるＵＥのＰＳＣｅｌｌハンドオーバーの解決策を提供し、ＣＵとＤＵの間で分離されたＳＮとＬＴＥシステムおよび５Ｇシステムの緊密な連携のシナリオにおけるＵＥのＰＳＣｅｌｌハンドオーバーを実施できない従来の問題を解決する。
【００３１】
さらに、本発明の実施形態に係る方法は、前記ＳＮは、前記ＵＥが前記ターゲットｇＮＢ−ＤＵにランダムアクセスするように、ＳＣＧ ＳＲＢを介して前記ターゲットｇＮＢ−ＤＵにハンドオーバーされたメッセージを前記ＵＥに送信する方法を採用し、ＭＮによって前記ターゲットｇＮＢ−ＤＵにハンドオーバーされたメッセージをＵＥに送信することによるデータ送信の量の増加を回避し、したがって、データ送信量を削減し、ＰＳＣｅｌｌハンドオーバーの効率を増加させることができる。
【図面の簡単な説明】
【００３２】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【００３３】
【図１】本発明の実施形態によるＬＴＥおよび５Ｇコアネットワークの緊密な連携（ｔｉｇｈｔ ｉｎｔｅｒｗｏｒｋｉｎｇ）シナリオの２つのアーキテクチャの概略図である。
【図２】本発明の実施形態によるＰｓｃｅｌｌハンドオーバーのための方法のフローチャートである。
【図３】本発明の実施形態によるＰｓｃｅｌｌハンドオーバーのための方法の情報交換の概略図である。
【図４】本発明の実施形態によるステップＳ１０２の第１の実施方法のフローチャートである。
【図５】本発明の実施形態による新しく生成されたメッセージの構造の概略図である。
【図６】本発明の実施形態によるステップＳ１０２の第２の実施方法のフローチャートである。
【図７】本発明の実施形態による、ＴＥＩＤを含むＳｇＮＢ Ｍｏｄｉｆｉｃａｔｉｏｎ Ｒｅｑｕｉｒｅｄメッセージの構造の概略図である。
【図８】本発明の実施形態、ＰＳＣｅｌｌハンドオーバーのための方法の他のいくつかのステップのフローチャートである。
【図９】本発明の実施形態によるプライマリセカンダリセル（Ｐｓｃｅｌｌ）ハンドオーバーのための装置の構造の概略図である。
【発明を実施するための形態】
【００３４】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業を行わない限りに得られた他の実施例は、全部本発明の保護範囲に属する。
【００３５】
図１は、ＬＴＥおよび５Ｇコアネットワークがタイトインターワーキング（ｔｉｇｈｔ ｉｎｔｅｒｗｏｒｋｉｎｇ）シナリオでの２つのアーキテクチャを示しており、４Gネットワークでの基地局すなわちＬＴＥ ＭｅＮＢがＭＮ（メイン基地局）として機能し、そして５Ｇコアネットワーク内の基地局（ＳＮ）がスレーブ基地局として機能する。ＳＮはＣＵとＤＵの分離場合に存在し、ｇＮＢ−ＣＵはＳＮのＣＵを表し、ｇＮＢ−ＤＵはＳＮのＤＵを表す。各ＳＮは、ｇＮＢ−ＣＵおよび複数のｇＮＢ−ＤＵを含む。ＬＴＥおよび５Ｇコアネットワークがタイトインターワーキング（ｔｉｇｈｔ ｉｎｔｅｒｗｏｒｋｉｎｇ）シナリオでの第１のアーキテクチャ（図1のＡ）では、ＳＮはＭＮ、つまりＬＴＥ ＭｅＮＢを介して５Ｇコアネットワークに接続される。ＬＴＥおよび５Ｇコアネットワークがタイトインターワーキング（ｔｉｇｈｔ ｉｎｔｅｒｗｏｒｋｉｎｇ）シナリオでの第２のアーキテクチャでは、ＳＮとＭＮの両方が５Ｇコアネットワークに接続されている（図1のＢ）。
【００３６】
図２は、ＳＮがＣＵとＤＵが分離される場合の、図１によって示されるＬＴＥおよび５Ｇコアネットワークタイトインターワーキング（ｔｉｇｈｔ ｉｎｔｅｒｗｏｒｋｉｎｇ）シナリオに適用可能なＰＳＣｅｌｌハンドオーバーの方法を示す。この方法は、ステップＳ１０１およびＳ１０２を含む。
【００３７】
ステップＳ１０１：ＳＮは、ＵＥのＰＳＣｅｌｌハンドオーバーのターゲットＰｓｃｅｌｌがターゲット分散ユニット（ｇＮＢ−ＤＵ）に位置することを決定する。
【００３８】
ステップＳ１０２：前記ＳＮは、前記ＭＮと前記ＵＥが前記ターゲットｇＮＢ−ＤＵを介してデータを交換できるように、ＴＥＩＤを含むメッセージをＭＮに送信し、前記ＴＥＩＤは、前記ターゲットｇＮＢ−ＤＵと前記ＭＮの間のデータリンクを識別するように構成される。
【００３９】
本発明の実施形態による上記方法はまず、ステップＳ１０１を実行し、すなわち、ＳＮは、ＵＥのＰＳＣｅｌｌハンドオーバーのターゲットＰｓｃｅｌｌがターゲット分散ユニット（ｇＮＢ−ＤＵ）に位置することを決定する。
【００４０】
図３に示されるように、実際のアプリケーションでは、ＵＥは定期的に無線ネットワークを測定し、同時に測定結果を測定レポートメッセージ（Ｍｅａｓｕｒｅｍｅｎｔ Ｒｅｐｏｒｔ ｍｅｓｓａｇｅ）でＳＮの中央ユニットｇＮＢ−ＣＵに送信する。ｇＮＢ−ＣＵが上記のＭｅａｓｕｒｅｍｅｎｔ Ｒｅｐｏｒｔ ｍｅｓｓａｇｅメッセージを受信した後、当該Ｍｅａｓｕｒｅｍｅｎｔ Ｒｅｐｏｒｔ ｍｅｓｓａｇｅメッセージで伝送された測定結果に従って、ＵＥがスレーブ基地局Ｐｓｃｅｌｌハンドオーバーを実行する条件を持っているかどうかを判断する。ｇＮＢ-ＣＵがＵＥがスレーブ基地局Ｐｓｃｅｌｌハンドオーバーを実行する条件を持っていると判断すれば、ｇＮＢ-ＣＵは、受信した上記のＭｅａｓｕｒｅｍｅｎｔ Ｒｅｐｏｒｔ ｍｅｓｓａｇｅメッセージに従ってハンドオーバーしようとするターゲットＰｓｃｅｌｌがターゲット分散ユニット（ｇＮＢ−ＤＵ）に位置することを決定できる。すなわち図３の前記ＴＡＲＧＥＴ（ターゲット）ｇＮＢ−ＤＵに位置する。
【００４１】
上記のステップＳ１０１を実行した後、本出願の実施形態における上記の方法は、ステップＳ１０２を実行することができ、すなわち、前記ＳＮは、前記ＭＮと前記ＵＥが前記ターゲットｇＮＢ−ＤＵを介してデータを交換できるように、ＴＥＩＤを含むメッセージをＭＮに送信し、前記ＴＥＩＤは、前記ターゲットｇＮＢ−ＤＵと前記ＭＮの間のデータリンクを識別するように構成される。
【００４２】
図３に示されるように、ハンドオーバーターゲットＰＳＣｅｌｌがターゲットｇＮＢ−ＤＵに位置することを決定した後、ｇＮＢ−ＣＵは、ＴＥＩＤを含むメッセージをＭＮ（すなわち、図３のＭｅＮＢ）に送信する。ＴＥＩＤは、ＵＥがハンドオーバーしようとするターゲットｇＮＢ−ＤＵと前記ＭＮの間のデータリンクを識別するように構成されている。実際には、ｇＮＢ−ＣＵは、Ｘ２インターフェースまたはＸｎインターフェースを介して、ＴＥＩＤを含むメッセージをＭＮに送信することができる。ＴＥＩＤを含むメッセージを受信した後、ＭＮは、ＴＥＩＤに従ってＵＥのＰＳＣｅｌｌハンドオーバーのターゲットｇＮＢ−ＤＵを決定し、その結果、ＭＮおよびＵＥは、その後の通信でターゲットｇＮＢ−ＤＵを介してデータを交換する。ＭＮはまた、ＴＥＩＤを含むメッセージを受信した後、ＴＥＩＤを含むメッセージの受信を確認する確認メッセージをｇＮＢ−ＣＵに送信することができる。
【００４３】
実際のアプリケーションでは、上記ステップＳ１０２は、以下のように２つの異なる方式で実施することができる。
【００４４】
図４は、ステップＳ２０１およびＳ２０２を含む、Ｓ１０２の第１の実施方法を示す。
【００４５】
ステップＳ２０１：前記ＳＮは、前記ＴＥＩＤを含むメッセージを新しく生成する。
【００４６】
ステップＳ２０２：前記ＳＮは、新しく生成されたメッセージを前記ＭＮに送信する。
【００４７】
具体的には、ｇＮＢ−ＣＵは、ターゲットｇＮＢとＭＮとの間のデータリンクを識別するＴＥＩＤをＭＮに送信するための新しいメッセージを生成することができる。当該新しいメッセージは、ＳgNＢトンネル変更（ｔｕｎｎｅｌ ｃｈａｎｇｅ）メッセージである場合がある。図５は、新しいＳｇＮＢメッセージの構造を示しており、これは他の構造も同様に有し得る。ここでは、図５に示される構造を例に取る。次に、図５に示されるＳｇＮＢトンネル変更メッセージを生成した後、ｇＮＢ−ＣＵは、ＳｇＮＢトンネル変更メッセージをＭＮに送信する。当該ＳｇＮＢトンネル変更メッセージを受信した後、ＭＮは、ＳｇＮＢトンネル変更メッセージ内のＴＥＩＤに従ってＵＥのＰＳＣｅｌｌハンドオーバーのターゲットｇＮＢ−ＤＵを決定し、その結果、ＭＮおよびＵＥは、その後の通信でターゲットｇＮＢ−ＤＵを介してデータを交換する。例えば、ＭＮは、ＭＣＧスプリットベアラ（ＭＣＧ ＳＰＬＩＴ ＢＥＲＡＥＲ）のダウンリンクデータをターゲットｇＮＢ−ＤＵに送信することができる。ＴＥＩＤを含むメッセージを受信した後、ＭＮはまた、ＴＥＩＤを含むメッセージの受信を確認する確認メッセージをｇＮＢ−ＣＵに送信することができる。
【００４８】
図６に示すように、ステップＳ１０２の第２の実施方法は、ステップＳ２０３およびＳ２０４を含む。
【００４９】
ステップＳ２０３：前記ＳＮは、前記ＴＥＩＤをＳｇＮＢ Ｍｏｄｉｆｉｃａｔｉｏｎ Ｒｅｑｕｉｒｅｄメッセージに含めておく。
【００５０】
ステップＳ２０４：前記ＳＮは、前記ＳｇＮＢ Ｍｏｄｉｆｉｃａｔｉｏｎ Ｒｅｑｕｉｒｅｄメッセージを前記ＭＮに送信する。
【００５１】
具体的には、ｇＮＢ−ＣＵは、ターゲットｇＮＢ−ＤＵとＭＮとの間のデータリンクを識別するＴＥＩＤを、既存のＳｇＮＢ修正要求メッセージに入れる。図７は、ＴＥＩＤを含むＳｇＮＢ修正要求メッセージの構造を示す。ＳｇＮＢ修正要求メッセージは他の構造を有してもよく、図７によって示される構造は、ここでは一例として取り上げられ、ＴＥＩＤに関連する情報は、ｇＮＢ修正要求メッセージの構造の最後の３行に追加される。ｇＮＢ−ＣＵがＭＮに構造を図7に示すｇＮＢ修正要求メッセージを送信した後、ＭＮはｇＮＢ修正要求メッセージのＴＥＩＤに従ってＵＥのＰＳＣｅｌｌハンドオーバーのターゲットｇＮＢ−ＤＵを決定できるため、その結果として、ＭＮとＵＥは、ターゲットｇＮＢ−ＤＵを介してデータを交換できるようになる。例えば、ＭＮは、ＭＣＧスプリットベアラのためのダウンリンクデータをターゲットｇＮＢ−ＤＵに送信することができる。同様に、ＭＮは、ＴＥＩＤを含むメッセージを受信した後、上記ＴＥＩＤを含むメッセージの受信を確認する確認メッセージをｇＮＢ−ＣＵに送信する。
【００５２】
実際のアプリケーションでは、本発明の実施形態による方法では、上記Ｓ１０１が実行された後に、ステップＡが実行されてもよい。
【００５３】
ステップＡ：前記ＳＮは、前記ターゲットｇＮＢ−ＤＵが前記ＵＥのためにコンテキストベアラを確立するように、ＵＥのＰＳＣｅｌｌハンドオーバー要求を前記ターゲットｇＮＢ−ＤＵに送信する。
【００５４】
特定の実施プロセスでは、上記ステップＡは、ステップＳ１０２と共に実行されてもよいし、ステップＳ１０２の前または後に実行されてもよく、本発明は、これについて制限しない。
【００５５】
図３に示すように、ＵＥのＰＳＣｅｌｌハンドオーバーのターゲットｇＮＢ−ＤＵを決定した後、ｇＮＢ−ＣＵは、ＵＥコンテキスト設定要求（Ｃｏｎｔｅｘｔ Ｓｅｔｕｐ Ｒｅｑｕｅｓｔ）メッセージをターゲットｇＮＢ−ＤＵに送信する。ＵＥ  Ｃｏｎｔｅｘｔ Ｓｅｔｕｐ Ｒｅｑｕｅｓｔメッセージを受信した後、ターゲットｇＮＢ−ＤＵは、当該ＰＳＣｅｌｌに順調にハンドオーバーするためにＵＥのコンテキストを作成するなどの用意をしておく。上記ＵＥ Ｃｏｎｔｅｘｔ Ｓｅｔｕｐ Ｒｅｑｕｅｓｔメッセージを受信した後、ターゲットｇＮＢ−ＤＵはｇＮＢ−ＣＵにＵＥ Ｃｏｎｔｅｘｔ Ｓｅｔｕｐ Ｒｅｓｐｏｎｓｅメッセージで応答する。
【００５６】
実際のアプリケーションでは、本発明の実施形態による方法では、上記ステップＳ１０１が実行された後、ステップＢが実行されてもよい。
【００５７】
ステップＢ：前記ＳＮは、前記ＵＥが前記ターゲットｇＮＢ−ＤＵにランダムアクセスするように、ＳＣＧ ＳＲＢを介して前記ターゲットｇＮＢ−ＤＵにハンドオーバーされたメッセージを前記ＵＥに送信する。
【００５８】
同様に、ステップＡ、Ｂ、およびＳ１０２を実行する順序は、本明細書では限定されない。
【００５９】
図３に示すように、ＵＥのＰＳＣｅｌｌハンドオーバーのターゲットｇＮＢ−ＤＵを決定した後、ｇＮＢ−ＣＵは、ＳＣＧ ＳＲＢを使用して、ターゲットｇＮＢ−ＤＵにハンドオーバーされたメッセージをＵＥに送信する。特定の実施プロセスでは、ｇＮＢ−ＣＵは、ＳＣＧ ＳＲＢをＵＥのＰＳＣｅｌｌハンドオーバーが実行され前のソースｇＮＢ−ＤＵに送信する。次に、ソースｇＮＢ−ＤＵ、すなわち、図３に示すＳｏｕｒｃｅ ｇＮＢ−ＤＵにより、ＳＣＧ ＳＲＢ（すなわち、ＲＲＣ Ｃｏｎｎｅｃｔｉｏｎ Ｒｅｃｏｎｆｉｇｕｒａｔｉｏｎ メッセージ）をＵＥに送信する。ＵＥがＳＣＧ ＳＲＢ（すなわち、ＲＲＣ Ｃｏｎｎｅｃｔｉｏｎ Ｒｅｃｏｎｆｉｇｕｒａｔｉｏｎ メッセージ）を受信した後、ＵＥは、ターゲット ｇＮＢ−ＤＵに対してランダムアクセスを実行し、ＵＥがターゲット ｇＮＢ−ＤＵにランダムアクセスした後、ＵＥは、ハンドオーバー完了ＲＲＣ Ｒｅｃｏｎｎｅｃｔｉｏｎ Ｃｏｍｐｌｅｔｅ（ＲＲＣ再接続完了）メッセージをｇＮＢ-ＣＵに送信する。
【００６０】
ＵＥから送信されたＲＲＣ接続完了メッセージを受信した後、ｇＮＢ−ＣＵは、ＵＥ再構成完了メッセージをＵＥのＰＳＣｅｌｌハンドオーバーする前のターゲットｇＮＢ−ＤＵに送信する。ＵＥ Ｒｅｃｏｎｆｉｇｕｒａｔｉｏｎ ｃｏｍｐｌｅｔｅメッセージを受信した後、ＵＥ コンテキストを解放して、ｇＮＢ-ＣＵにＣｏｎｔｅｘｔ Ｒｅｌｅａｓｅ Ｃｏｍｐｌｅｔｅ（コンテキスト解放完了）メッセージをフィードバックする。
【００６１】
ｇＮＢ-ＣＵがＵＥによって送信されＲＲＣ Ｃｏｎｎｅｃｔｉｏｎ Ｃｏｍｐｌｅｔｅメッセージを受信した後、ｇＮＢ−ＣＵは、ＵＥ Ｒｅｃｏｎｆｉｇｕｒａｔｉｏｎ ｃｏｍｐｌｅｔｅ（再構成完了）メッセージをターゲット ｇＮＢ−ＤＵに送信する。ターゲット ｇＮＢ−ＤＵは、上記ＵＥ Ｒｅｃｏｎｆｉｇｕｒａｔｉｏｎ ｃｏｍｐｌｅｔｅ メッセージを受信した後、ダウンリンクデータパケット（Ｄｏｗｎｌｉｎｋ ｐａｃｋｅ）をＵＥに送信する。同時に、ＵＥ側のアップリンクデータは、ターゲットｇＮＢ−ＤＵに送信される。
【００６２】
図８に示すように、実際のアプリケーションでは、ターゲットｇＮＢ−ＤＵがＵＥから送信されたアップリンクデータを受信すると、以下のステップＳ３０１〜Ｓ３０３が実行され得る。
【００６３】
ステップＳ３０１：前記ＳＮは、前記ＵＥによって送信されアップリンクデータを受信する。
【００６４】
ステップＳ３０２：前記ＳＮは、前記アップリンクデータがプライマリセルグループ分離ベアラＭＣＧ ＳＰＬＩＴ ＢＥＡＲＥＲであることを決定し、前記ＳＮは、前記アップリンクデータを前記ＭＮに転送する。または、
ステップＳ３０３：前記ＳＮは、前記アップリンクデータをＳＣＧ ＳＰＬＩＴ ＢＥＡＲＥＲとして決定し、前記ＳＮは、前記アップリンクデータを中央ユニットｇＮＢ-ＣＵに送信する。
【００６５】
すなわち、すなわち、ＵＥがターゲットｇＮＢ−ＤＵにアップリンクデータを送信し、ターゲットｇＮＢ−ＤＵが、受信されたアップリンクデータパケットがＭＣＧ ＳＰＬＩＴ ＢＥＡＲＥＲであると決定した場合、ターゲットｇＮＢ−ＤＵは、当該アップリンクデータパケットをＭＮに伝送する。ターゲットｇＮＢ−ＤＵがＵＥからアップリンクデータを受信する。ベアラ、ターゲットｇＮＢ−ＤＵは、ＭＮへのアップリンクデータパケットに転送する。または、ターゲットｇＮＢ−ＤＵが、前記アップリンクデータがＳＣＧ ＳＰＬＩＴ ＢＥＡＲＥＲであると判断した場合、ターゲットｇＮＢ−ＤＵは、当該アップリンクデータパケットをｇＮＢ−ＣＵに転送する。ｇＮＢ−ＣＵは、ＳＣＧ/ＳＣＧ ＳＰＬＩＴ ＢＥＲＡＥＲのダウンリンクデータをターゲットｇＮＢ−ＤＵに送信することもできる。
【００６６】
実際のアプリケーションでは、本発明の実施形態による方法では、上記ステップＳ１０１が実行された後、ステップＣが実行されてもよい。
【００６７】
ステップＣ: 前記ソースｇＮＢ−ＤＵが前記ＵＥにデータを送信することを停止するように、前記ＳＮは、ハンドオーバーする前のソースｇＮＢ−ＤＵに前記ＵＥのＰｓｃｅｌｌハンドオーバーメッセージを送信する。
【００６８】
図３に示されるように、ＵＥのＰＳＣｅｌｌハンドオーバーのターゲットｇＮＢ−ＤＵを決定した後、ｇＮＢ−ＣＵは、ソースｇＮＢ−ＤＵがデータをＵＥに送信することを停止するために、ＵＥモビリティコマンドメッセージ（ＵＥ Ｍｏｂｉｌｉｔｙ Ｃｏｍｍａｎｄ ｍｅｓｓａｇｅ）をソースｇＮＢ−ＤＵに送信することができる。ソースｇＮＢ−ＤＵはまた、ダウンリンクデータ送信指示メッセージをＭＮに送信して、ＭＣＧ ｓｐｌｉｔ ｂｅａｒｅｒ内のＳＣＧ部分の配信ステータスを示すことができる。また、ＳＣＧ/ＳＣＧ ＳＰＬＩＴ  ＢＥＡＲＥＲ内のＳＣＧ部分の配信状態を示すために、ソースｇＮＢ−ＤＵは、ｇＮＢ−ＣＵにダウンリンクデータ送信指示メッセージを送信する場合もある。
【００６９】
したがって、上記方法では、ＳＮが、ＵＥのＰＳＣｅｌｌハンドオーバーのターゲット分散ユニット（ｇＮＢ−ＤＵ）を決定し、および、前記ＳＮは、前記ＭＮと前記ＵＥが前記ターゲットｇＮＢ−ＤＵを介してデータを交換できるように、ＴＥＩＤを含むメッセージをＭＮに送信し、前記ＴＥＩＤは、前記ターゲットｇＮＢ−ＤＵと前記ＭＮの間のデータリンクを識別するように構成される技術的な解決策は、ＣＵとＤＵの間で分離されたＳＮとＬＴＥシステムおよび５Ｇシステムの緊密な連携のシナリオにおけるＵＥのＰＳＣｅｌｌハンドオーバーの解決策を提供し、ＣＵとＤＵの間で分離されたＳＮとＬＴＥシステムおよび５Ｇシステムの緊密な連携のシナリオにおけるＵＥのＰＳＣｅｌｌハンドオーバーを実施できない従来の問題を解決する。
【００７０】
さらに、本発明の実施形態に係る方法は、前記ＳＮは、前記ＵＥが前記ターゲットｇＮＢ−ＤＵにランダムアクセスするように、ＳＣＧ ＳＲＢを介して前記ターゲットｇＮＢ−ＤＵにハンドオーバーされたメッセージを前記ＵＥに送信する方法を採用し、ＭＮによって前記ターゲットｇＮＢ−ＤＵにハンドオーバーされたメッセージをＵＥに送信することによるデータ送信の量の増加を回避し、したがって、データ送信量を削減し、ＰＳＣｅｌｌハンドオーバーの効率を増加させることができる。
【００７１】
図９に示されるのと同じ発明思想に基づいて、本発明の実施形態は、プライマリセカンダリセル（Ｐｓｃｅｌｌ）ハンドオーバーのための装置をさらに提供する。当該装置のＰｓｃｅｌｌハンドオーバーのための方法の実施は、上記方法の実施形態の説明を参照してください。ここでは、繰り返して説明しない。
【００７２】
当該装置は、
プログラムコマンドを記憶するように構成されたメモリ９００と、
前記メモリに記憶されたプログラムコマンドを呼び出して、取得されたプログラムに従って以下の動作を実行するように構成されたプロセッサ９０１とを備える。
【００７３】
前記プロセッサ９０１は、ＵＥのＰＳＣｅｌｌハンドオーバーのターゲットＰｓｃｅｌｌがターゲット分散ユニット（ｇＮＢ−ＤＵ）に位置することを決定し、前記ＭＮと前記ＵＥが前記ターゲットｇＮＢ−ＤＵを介してデータを交換できるように、ＴＥＩＤを含むメッセージをＭＮに送信し、前記ＴＥＩＤは、前記ターゲットｇＮＢ−ＤＵと前記ＭＮの間のデータリンクを識別するように構成される。
【００７４】
任意選択で、前記プロセッサ９０１は具体的に、ＵＥのＰＳＣｅｌｌハンドオーバーのターゲット分散ユニット（ｇＮＢ−ＤＵ）を決定した後、前記ＵＥが前記ターゲットｇＮＢ−ＤＵにランダムアクセスするように、ＳＣＧ ＳＲＢを介して前記ターゲットｇＮＢ−ＤＵにハンドオーバーされたメッセージを前記ＵＥに送信する。
【００７５】
任意選択で、前記プロセッサ９０１は具体的に、前記ＴＥＩＤを含むメッセージを新しく生成し、新しく生成されたメッセージを前記ＭＮに送信する。
【００７６】
任意選択で、前記プロセッサ９０１は具体的に、前記ＴＥＩＤをＳｇＮＢ Ｍｏｄｉｆｉｃａｔｉｏｎ Ｒｅｑｕｉｒｅｄメッセージに含めておき、前記ＳｇＮＢ Ｍｏｄｉｆｉｃａｔｉｏｎ Ｒｅｑｕｉｒｅｄメッセージを前記ＭＮに送信する。
【００７７】
任意選択で、前記プロセッサ９０１は具体的に、ＵＥのＰＳＣｅｌｌハンドオーバーのターゲット分散ユニット（ｇＮＢ−ＤＵ）を決定した後、前記ターゲットｇＮＢ−ＤＵが前記ＵＥのためにコンテキストベアラを確立するように、ＵＥのＰＳＣｅｌｌハンドオーバー要求を前記ターゲットｇＮＢ−ＤＵに送信する。
【００７８】
任意選択で、前記プロセッサ９０１は具体的に、ＵＥのＰＳＣｅｌｌハンドオーバーのターゲット分散ユニット（ｇＮＢ−ＤＵ）を決定した後、前記ソースｇＮＢ−ＤＵが前記ＵＥにデータを送信することを停止するように、ハンドオーバーする前のソースｇＮＢ−ＤＵに前記ＵＥのＰｓｃｅｌｌハンドオーバーメッセージを送信する。
【００７９】
任意選択で、前記プロセッサ９０１は具体的に、ダウンリンクデータＴＥＩＤを含むメッセージをＭＮに送信した後、前記ＵＥによって送信されアップリンクデータを受信し、前記アップリンクデータをＭＣＧ ＳＰＬＩＴ ＢＥＡＲＥＲとして決定すると、前記アップリンクデータを前記ＭＮに転送し、または、
前記アップリンクデータをＳＣＧ ＳＰＬＩＴ ＢＥＡＲＥＲとして決定し、前記アップリンクデータを前記ｇＮＢ-ＣＵに転送する。
【００８０】
同じ発明思想に基づいて、本発明の実施形態は、ＳＮ装置を提供する。当該装置のＰｓｃｅｌｌハンドオーバーのための方法実施は、上記方法の実施形態の説明を参照してください。ここでは、繰り返して説明しない。
【００８１】
当該装置は、
ＵＥのＰＳＣｅｌｌハンドオーバーのターゲットＰｓｃｅｌｌがターゲット分散ユニット（ｇＮＢ−ＤＵ）に位置することを決定するように構成された決定ユニットと、
前記ＭＮと前記ＵＥが前記ターゲットｇＮＢ−ＤＵを介してデータを交換できるように、ＴＥＩＤを含むメッセージをＭＮに送信するように構成された第１の送信ユニットとを備える。
【００８２】
前記ＴＥＩＤは、前記ターゲットｇＮＢ−ＤＵと前記ＭＮの間のデータリンクを識別するように構成される。
【００８３】
任意選択で、前記ＵＥが前記ターゲットｇＮＢ−ＤＵにランダムアクセスするように、セカンダリセルグループシグナリング無線ベアラ（ＳＣＧ ＳＲＢ）により前記ターゲットｇＮＢ−ＤＵにハンドオーバーされたメッセージを前記ＵＥに送信するように構成された第２の送信ユニットをさらに備える。
【００８４】
任意選択で、新しく生成前記ＴＥＩＤを含むメッセージおよび新しく生成されたメッセージを前記ＭＮに送信するように構成された新生成ユニットをさらに備える。
【００８５】
任意選択で、前記ＴＥＩＤをＳｇＮＢ Ｍｏｄｉｆｉｃａｔｉｏｎ Ｒｅｑｕｉｒｅｄメッセージに含めておき、および、前記ＳｇＮＢ Ｍｏｄｉｆｉｃａｔｉｏｎ Ｒｅｑｕｉｒｅｄメッセージを前記ＭＮに送信するように構成された第３の送信ユニットをさらに備える。
【００８６】
任意選択で、前記ターゲットｇＮＢ−ＤＵが前記ＵＥのためにコンテキストベアラを確立するように、ＵＥのＰＳＣｅｌｌハンドオーバー要求を前記ターゲットｇＮＢ−ＤＵに送信するように構成された第４の送信ユニットをさらに備える。
【００８７】
任意選択で、前記ソースｇＮＢ−ＤＵが前記ＵＥにデータを送信することを停止するように、前記ソースｇＮＢ−ＤＵに前記ＵＥのＰｓｃｅｌｌハンドオーバーメッセージを送信するように構成された第５の送信ユニットをさらに備える。
【００８８】
任意選択で、前記ＵＥによって送信されアップリンクデータを受信し、
前記アップリンクデータをＭＣＧ ＳＰＬＩＴ ＢＥＡＲＥＲとして決定すると、前記アップリンクデータを前記ＭＮに転送し、または、
前記アップリンクデータをＳＣＧ ＳＰＬＩＴ ＢＥＡＲＥＲとして決定し、前記アップリンクデータを前記ｇＮＢ-ＣＵに転送するように構成された第６の送信ユニットをさらに備える。
【００８９】
同じ発明思想に基づいて、本発明の実施形態は、コンピュータ可読記憶媒体をさらに提供する。上記記憶媒体は、コンピュータプログラムを記憶する。前記コンピュータプログラムがプロセッサによって実行されると、プロセッサは上記のＰｓｃｅｌｌハンドオーバーのための方法を実行する。
【００９０】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つ或いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【００９１】
以上は本発明の実施形態の方法、装置（システム）、およびコンピュータプログラム製品のフロー図および／またはブロック図によって、本発明を記述した。理解すべきことは、コンピュータプログラムコマンドによって、フロー図および／またはブロック図における各フローおよび／またはブロックと、フロー図および／またはブロック図におけるフローおよび／またはブロックの結合を実現できる。プロセッサはこれらのコンピュータプログラムコマンドを、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラムコマンドを実行し、フロー図における一つ或いは複数のフローおよび／またはブロック図における一つ或いは複数のブロックに指定する機能を実現する。
【００９２】
これらのコンピュータプログラムコマンドは、又、コンピュータ或いは他のプログラム可能なデータ処理装置を特定方式で動作させるコンピュータ読取記憶装置に記憶できる。これによって、コマンドを含む装置は当該コンピュータ読取記憶装置内のコマンドを実行でき、フロー図における一つ或いは複数のフローおよび／またはブロック図における一つ或いは複数のブロックに指定する機能を実現する。
【００９３】
これらコンピュータプログラムコマンドはさらに、コンピュータ或いは他のプログラム可能なデータ処理装置設備に実装もできる。コンピュータプログラムコマンドが実装されたコンピュータ或いは他のプログラム可能設備は、一連の操作ステップを実行することによって、関連の処理を実現し、コンピュータ或いは他のプログラム可能な設備において実行されるコマンドによって、フロー図における一つ或いは複数のフローおよび／またはブロック図における一つ或いは複数のブロックに指定する機能を実現する。
【００９４】
上記した実施形態に記述された技術的な解決手段を改造し、或いはその中の一部の技術要素を置換することもできる。そのような、改造と置換は本発明の各実施形態の技術の範囲から逸脱するとは見なされない。
【００９５】
無論、当業者によって、上記した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【００９６】
900  メモリ
901  プロセッサ
【図１】
2021503841.tif 000003
【図２】
2021503841.tif 000004
【図３】
2021503841.tif 000005
【図４】
2021503841.tif 000006
【図５】
2021503841.tif 000007
【図６】
2021503841.tif 000008
【図７】
2021503841.tif 000009
【図８】
2021503841.tif 000010
【図９】
2021503841.tif 000011
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
スレーブ基地局（ＳＮ）は、ユーザー機器（ＵＥ）のＰＳＣｅｌｌハンドオーバーのターゲットＰｓｃｅｌｌがターゲット分散ユニット（ｇＮＢ−ＤＵ）に位置することを決定するステップと、
ＭＮと前記ＵＥが前記ターゲットｇＮＢ−ＤＵを介してデータを交換できるように、前記ＳＮは、トンネルエンドポイント識別子（ＴＥＩＤ）を含むメッセージをメイン基地局（ＭＮ）に送信ステップとを備え、
前記ＴＥＩＤは、前記ターゲットｇＮＢ−ＤＵと前記ＭＮの間のデータリンクを識別するように構成されることを特徴とするプライマリセカンダリセル（Ｐｓｃｅｌｌ）ハンドオーバーのための方法。
【請求項２】
前記ＳＮがＵＥのＰＳＣｅｌｌハンドオーバーのターゲット分散ユニット（ｇＮＢ−ＤＵ）を決定した後、
前記ＵＥが前記ターゲットｇＮＢ−ＤＵにランダムアクセスするように、前記ＳＮは、セカンダリセルグループシグナリング無線ベアラ（ＳＣＧ ＳＲＢ）を介して前記ターゲットｇＮＢ−ＤＵにハンドオーバーされたメッセージを前記ＵＥに送信することを特徴とする請求項１に記載のプライマリセカンダリセル（Ｐｓｃｅｌｌ）ハンドオーバーのための方法。
【請求項３】
前記ＳＮがＴＥＩＤを含むメッセージをＭＮに送信することは、
前記ＳＮは、前記ＴＥＩＤを含むメッセージを新しく生成することと、
前記ＳＮは、新しく生成されたメッセージを前記ＭＮに送信することとを備えることを特徴とする請求項１に記載のプライマリセカンダリセル（Ｐｓｃｅｌｌ）ハンドオーバーのための方法。
【請求項４】
前記ＳＮがＴＥＩＤを含むメッセージをＭＮに送信することは、
前記ＳＮは、前記ＴＥＩＤをＳｇＮＢ修正要求（Ｍｏｄｉｆｉｃａｔｉｏｎ Ｒｅｑｕｉｒｅｄ）メッセージに含めておくことと、
前記ＳＮは、前記ＳｇＮＢ Ｍｏｄｉｆｉｃａｔｉｏｎ Ｒｅｑｕｉｒｅｄメッセージを前記ＭＮに送信することとを備えることを特徴とする請求項１に記載のプライマリセカンダリセル（Ｐｓｃｅｌｌ）ハンドオーバーのための方法。
【請求項５】
前記ＳＮがＵＥのＰＳＣｅｌｌハンドオーバーのターゲット分散ユニット（ｇＮＢ−ＤＵ）を決定した後、
前記ＳＮは、前記ターゲットｇＮＢ−ＤＵが前記ＵＥのためにコンテキストベアラを確立するように、ＵＥのＰＳＣｅｌｌハンドオーバー要求を前記ターゲットｇＮＢ−ＤＵに送信することを特徴とする請求項１から請求項４のいずれか一項に記載のプライマリセカンダリセル（Ｐｓｃｅｌｌ）ハンドオーバーのための方法。
【請求項６】
前記ＳＮがＵＥのＰＳＣｅｌｌハンドオーバーのターゲット分散ユニット（ｇＮＢ−ＤＵ）を決定した後、
ソースｇＮＢ−ＤＵが前記ＵＥにデータを送信することを停止するように、前記ＳＮは、ハンドオーバーする前のソースｇＮＢ−ＤＵに前記ＵＥのＰｓｃｅｌｌハンドオーバーメッセージを送信することを特徴とする請求項１から請求項４のいずれか一項に記載のプライマリセカンダリセル（Ｐｓｃｅｌｌ）ハンドオーバーのための方法。
【請求項７】
前記ＳＮがＴＥＩＤを含むメッセージをＭＮに送信した後、
前記ＳＮは、前記ＵＥによって送信されアップリンクデータを受信し、
前記ＳＮは、前記アップリンクデータがプライマリセルグループ分離ベアラＭＣＧ ＳＰＬＩＴ ＢＥＡＲＥＲであることを決定し、前記ＳＮは、前記アップリンクデータを前記ＭＮに転送し、または、
前記ＳＮは、前記アップリンクデータがセカンダリセルグループ分離ベアラＳＣＧ ＳＰＬＩＴ ＢＥＡＲＥＲであることを決定し、前記ＳＮは、前記アップリンクデータをｇＮＢ-ＣＵに転送することを特徴とする請求項１から請求項４のいずれか一項に記載のプライマリセカンダリセル（Ｐｓｃｅｌｌ）ハンドオーバーのための方法。
【請求項８】
プロセッサは、ＵＥのＰＳＣｅｌｌハンドオーバーのターゲットＰｓｃｅｌｌがターゲット分散ユニット（ｇＮＢ−ＤＵ）に位置することを決定するように構成された決定ユニットと、
ＭＮと前記ＵＥが前記ターゲットｇＮＢ−ＤＵを介してデータを交換できるように、ＴＥＩＤを含むメッセージをＭＮに送信し、前記ＴＥＩＤは、前記ターゲットｇＮＢ−ＤＵと前記ＭＮの間のデータリンクを識別するように構成された第１の送信ユニットとを備えることを特徴とするプライマリセカンダリセル（Ｐｓｃｅｌｌ）ハンドオーバーのためのＳＮ装置。
【請求項９】
ＵＥのＰＳＣｅｌｌハンドオーバーのターゲット分散ユニット（ｇＮＢ−ＤＵ）を決定した後、前記ＵＥが前記ターゲットｇＮＢ−ＤＵにランダムアクセスするように、ＳＣＧ ＳＲＢを介して前記ターゲットｇＮＢ−ＤＵにハンドオーバーされたメッセージを前記ＵＥに送信するように構成された第２の送信ユニットを備えることを特徴とする請求項８に記載のプライマリセカンダリセル（Ｐｓｃｅｌｌ）ハンドオーバーのためのＳＮ装置。
【請求項１０】
前記ＴＥＩＤを含むメッセージを新しく生成し、新しく生成されたメッセージを前記ＭＮに送信するように構成された新生成ユニットを備えることを特徴とする請求項８に記載のプライマリセカンダリセル（Ｐｓｃｅｌｌ）ハンドオーバーのためのＳＮ装置。
【請求項１１】
前記ＴＥＩＤをＳｇＮＢ Ｍｏｄｉｆｉｃａｔｉｏｎ Ｒｅｑｕｉｒｅｄメッセージに含めておき、前記ＳｇＮＢ Ｍｏｄｉｆｉｃａｔｉｏｎ Ｒｅｑｕｉｒｅｄメッセージを前記ＭＮに送信するように構成された第３の送信ユニットを備えることを特徴とする請求項８に記載のプライマリセカンダリセル（Ｐｓｃｅｌｌ）ハンドオーバーのためのＳＮ装置。
【請求項１２】
ＵＥのＰＳＣｅｌｌハンドオーバーのターゲット分散ユニット（ｇＮＢ−ＤＵ）を決定した後、前記ターゲットｇＮＢ−ＤＵが前記ＵＥのためにコンテキストベアラを確立するように、ＵＥのＰＳＣｅｌｌハンドオーバー要求を前記ターゲットｇＮＢ−ＤＵに送信するように構成された第４の送信ユニットを備えることを特徴とする請求項８から請求項１１のいずれか一項に記載のプライマリセカンダリセル（Ｐｓｃｅｌｌ）ハンドオーバーのためのＳＮ装置。
【請求項１３】
ＵＥのＰＳＣｅｌｌハンドオーバーのターゲット分散ユニット（ｇＮＢ−ＤＵ）を決定した後、ソースｇＮＢ−ＤＵが前記ＵＥにデータを送信することを停止するように、ハンドオーバーする前のソースｇＮＢ−ＤＵに前記ＵＥのＰｓｃｅｌｌハンドオーバーメッセージを送信するように構成された第５の送信ユニットを備えることを特徴とする請求項８から請求項１１のいずれか一項に記載のプライマリセカンダリセル（Ｐｓｃｅｌｌ）ハンドオーバーのためのＳＮ装置。
【請求項１４】
ＴＥＩＤを含むメッセージをＭＮに送信した後、前記ＵＥによって送信されアップリンクデータを受信し、前記アップリンクデータをＭＣＧ ＳＰＬＩＴ ＢＥＡＲＥＲとして決定すると、前記アップリンクデータを前記ＭＮに転送し、または、
前記アップリンクデータをＳＣＧ ＳＰＬＩＴ ＢＥＡＲＥＲとして決定し、前記アップリンクデータをｇＮＢ-ＣＵに転送するように構成された第６の送信ユニットを備えることを特徴とする請求項８から請求項１１のいずれか一項に記載のプライマリセカンダリセル（Ｐｓｃｅｌｌ）ハンドオーバーのためのＳＮ装置。
【請求項１５】
コンピュータプログラムを記憶するコンピュータ記憶媒体であって、前記プログラムは、プロセッサによって実行されると、請求項１から請求項７のいずれか一項に記載の方法のステップを実施することを特徴とするコンピュータプログラムを記憶するコンピュータ記憶媒体。
【国際調査報告】
2021503841.tif 000012
2021503841.tif 000013
2021503841.tif 000014
2021503841.tif 000015